(57)【特許請求の範囲】
【請求項１】
端末により、基地局から構成情報を得るステップであって、前記構成情報は、前記端末の帯域結合又は端末カテゴリのどちらにより示される多入力多出力（ＭＩＭＯ）能力に基づきＭＩＭＯレイヤの最大数を決定するかを前記端末に指示する、ステップと、
前記端末により、前記構成情報に従い、前記端末の帯域結合又は端末カテゴリにより示されるＭＩＭＯ能力に基づきＭＩＭＯレイヤの最大数を決定するステップと、
を含み、
前記ＭＩＭＯレイヤの前記最大数は、前記帯域結合の中で少なくとも２回現れる帯域についてサポートされるＭＩＭＯレイヤの最大値である、方法。
【請求項２】
前記端末により、前記ＭＩＭＯレイヤの前記最大数に基づき、ビット数を決定するステップ、を更に含む請求項１に記載の方法。
【請求項３】
前記端末が前記帯域結合をサポートしないとき、前記端末により、前記端末カテゴリに従い、前記ＭＩＭＯレイヤの前記最大数を決定するステップ、
を更に含む請求項２に記載の方法。
【請求項４】
基地局により、端末の帯域結合又は端末カテゴリにより示される多入力多出力（ＭＩＭＯ）能力に基づき、ＭＩＭＯレイヤの最大数を決定するステップと、
前記基地局により、前記端末の帯域結合又は端末カテゴリにより示されるＭＩＭＯ能力に基づき前記ＭＩＭＯレイヤの前記最大数を示す指示情報を前記端末へ送信するステップと、
前記基地局により、前記端末のＭＩＭＯ能力に従い、ＭＩＭＯレイヤの前記最大数を決定するステップと、
を含み、
前記ＭＩＭＯレイヤの前記最大数は、前記帯域結合の中で少なくとも２回現れる帯域についてサポートされるＭＩＭＯレイヤの最大値である、方法。
【請求項５】
前記基地局は、ＭＩＭＯ能力を構成される、請求項４に記載の方法。
【請求項６】
端末であって、
基地局から構成情報を得るよう構成される受信機であって、前記構成情報は、前記端末の帯域結合又は端末カテゴリのどちらにより示される多入力多出力（ＭＩＭＯ）能力に基づきＭＩＭＯレイヤの最大数を決定するかを前記端末に指示する、受信機と、
前記構成情報に従い、前記端末の帯域結合又は端末カテゴリにより示されるＭＩＭＯ能力に基づきＭＩＭＯレイヤの最大数を決定するよう構成されるプロセッサと、
を含み、
前記ＭＩＭＯレイヤの前記最大数は、前記帯域結合の中で少なくとも２回現れる帯域についてサポートされるＭＩＭＯレイヤの最大値である、端末。
【請求項７】
前記プロセッサは、前記ＭＩＭＯレイヤの前記最大数に基づき、ビット数を決定するよう更に構成される、請求項６に記載の端末。
【請求項８】
前記プロセッサは、前記端末が前記帯域結合をサポートしないとき、前記端末カテゴリに従い、前記ＭＩＭＯレイヤの前記最大数を決定するよう更に構成される、請求項７に記載の端末。
【請求項９】
端末の帯域結合又は端末カテゴリにより示される多入力多出力（ＭＩＭＯ）能力に基づきＭＩＭＯレイヤの最大数を決定するよう構成されるプロセッサと、
前記端末の帯域結合又は端末カテゴリのどちらにより示されるＭＩＭＯ能力に基づき前記ＭＩＭＯレイヤの前記最大数を決定するかを示す指示情報を前記端末へ送信するよう構成される送信機と、
を含み、
前記プロセッサは、前記端末のＭＩＭＯ能力に従い、ＭＩＭＯレイヤの前記最大数を決定するよう更に構成され、前記ＭＩＭＯレイヤの前記最大数は、前記帯域結合の中で少なくとも２回現れる帯域についてサポートされるＭＩＭＯレイヤの最大値である、基地局。
【請求項１０】
前記基地局は、ＭＩＭＯ能力を構成される、請求項９に記載の基地局。
【発明の詳細な説明】
【技術分野】
【０００１】
本発明は、通信技術に関し、特に、ランク指示（rank  indication：ＲＩ）ビット数を決定する方法、基地局、及び端末に関する。
【背景技術】
【０００２】
モバイル通信システムの発展に伴い、ロングタームエボリューション（long  term  evolved：ＬＴＥ）ネットワークは、第三世代パートナシッププロジェクト（３rd  generation  partnership  program：３ＧＰＰ）組織の中の様々な製造者等により活発に研究されるモバイル通信ネットワークになってきている。ＬＴＥの目的は、時間遅延を低減しユーザデータレートを増大し且つシステム容量及びカバレッジを増大できる低コストネットワークを提供することである。データサービスの成長に伴い、多入力多出力（multi−input  multi−output：ＭＩＭＯ）技術は、新技術として、ＬＴＥシステムに導入される。ＭＩＭＯ技術の適用は、性能を向上するために使用できるリソースになる空き領域を作り出す。ＭＩＭＯ技術を用いる２つの通信体は、独立に信号を送信するために送信端で複数のアンテナを使用でき、受信端で同時に複数のアンテナを用いることにより元の情報を受信し及び復元できる。したがって、無線チャネル容量は指数関数的に増大される。帯域幅が増大されない状況では、スペクトル利用率が指数関数的に増大され得る。ＭＩＭＯ技術では、基地局により送信されるチャネル品質指示子（channel  quality  indicator：ＣＱＩ）レポート構成情報に従って、ユーザ機器（user  equipment：ＵＥ）は、構成情報により示されたパラメータ、例えば無線チャネルのＣＱＩ及びランク指示（rank  indicator：ＲＩ）を基地局に報告する必要がある。基地局は、ＵＥにより報告されるＣＱＩ及びＲＩに基づき、適応型変調及び符号化を実行し、よって無線条件に適応する。ＲＩは、無線条件に従ってＵＥにより提案されたＭＩＭＯレイヤの数（非公式には、データ送信のために使用されることが提案されるデータチャネルの数）である。
【０００３】
しかしながら、ＭＩＭＯ機能を用いるために基地局及びＵＥが適応型変調及び符号化／復号化を正しいＲＩに基づきどのように正常に別個に実行するかは、業界において解決すべき問題である。
【発明の概要】
【０００４】
本発明は、正しいＲＩを用いて基地局とＵＥとの間でＭＩＭＯ能力が正常に使用できるように、ランク指示（ＲＩ）ビット数を決定する方法、基地局、及び端末を提供する。
【０００５】
第１の態様では、ランク指示（ＲＩ）ビット数を決定する方法が提供される。当該方法は、基地局により、端末と前記基地局との間の対応、及び前記端末のＭＩＭＯ（multi−input  multi−output）能力に従って、指示情報を決定するステップであって、前記指示情報は、ＲＩを送信するために占有されるビット数を決定するために前記端末により使用される情報を有する、ステップと、前記端末が前記指示情報に従って前記ＲＩを送信するために占有されるビット数を決定できるように、前記基地局により、前記端末へ前記指示情報を送信するステップと、を有する。
【０００６】
第１の態様を参照して、第１の可能な実装方法では、基地局により、端末と前記基地局との間の対応、及び前記端末のＭＩＭＯ（multi−input  multi−output）能力に従って、指示情報を決定するステップは、前記端末が前記基地局に適合するとき、前記端末の端末カテゴリにより示されるＭＩＭＯ（multi−input  multi−output）能力又は前記端末の帯域結合により示されるＭＩＭＯ能力に基づき、前記指示情報を決定するステップ、又は、前記端末が前記基地局に適合しないとき、前記端末の端末カテゴリにより示されるＭＩＭＯ能力に基づき、前記指示情報を決定するステップ、を有する。
【０００７】
第１の態様の第１の可能な実装方法を参照して、第２の可能な実装方法では、前記指示情報は、ＣＱＩ（channel  quality  indicator）レポート構成情報を有する。前記基地局により前記端末へ前記指示情報を送信するステップは、前記指示情報が前記端末の前記帯域結合により示される前記ＭＩＭＯ能力に基づき決定されるとき、前記端末が第１のＣＱＩレポート構成情報に従って前記ビット数を決定できるように、前記端末へ前記第１のＣＱＩレポート構成情報を送信するステップ、又は前記指示情報が前記端末の前記端末の端末カテゴリにより示される前記ＭＩＭＯ能力に基づき決定されるとき、前記端末が第２のＣＱＩレポート構成情報に従って前記ビット数を決定できるように、前記端末へ前記第２のＣＱＩレポート構成情報を送信するステップ、を有する。
【０００８】
第１の態様の第１の可能な実装方法を参照して、第３の可能な実装方法では、前記指示情報は、ＣＱＩレポート構成情報を有する。前記基地局により、前記端末へ前記指示情報を送信するステップは、前記指示情報が前記端末の前記帯域結合により示される前記ＭＩＭＯ能力に基づき決定されるとき、前記ＣＱＩレポート構成情報の中で第１の情報を伝達するステップであって、前記第１の情報は、前記端末の前記帯域結合により示される前記ＭＩＭＯ能力に基づき前記ビット数を決定するよう、前記端末に指示するために用いられる、ステップ、又は前記指示情報が前記端末の前記端末カテゴリにより示される前記ＭＩＭＯ能力に基づき決定されるとき、前記端末の前記端末カテゴリにより示される前記ＭＩＭＯ能力に基づき前記ビット数を決定するよう、前記ＣＱＩレポート構成情報を用いることにより、前記端末に指示するステップ、又は前記指示情報が前記端末の前記端末カテゴリにより示される前記ＭＩＭＯ能力に基づき決定されるとき、前記ＣＱＩレポート構成情報の中で第２の情報を伝達するステップであって、前記第２の情報は、前記端末カテゴリにより示される前記ＭＩＭＯ能力に従って前記ビット数を決定するよう、前記端末に指示するために用いられる、ステップ、を有する。
【０００９】
第１の態様の第１の可能な実装方法を参照して、第４の可能な実装方法では、前記指示情報は、ＣＡ（carrier  aggregation）指示情報を有する。前記基地局により、前記端末へ前記指示情報を送信するステップは、前記端末へ前記ＣＡ指示情報を送信するステップであって、前記ＣＡ指示情報は、前記端末の前記帯域結合により示される前記ＭＩＭＯ能力に従って前記ビット数を決定するよう、前記端末に指示するために用いられる、ステップを有する。
【００１０】
第１の態様、又は第１の態様の第１の可能な実装方法乃至第４の可能な実装方法のうちの任意の１つを参照して、第５の可能な実装方法では、当該方法は、前記指示情報が前記端末へ送信される前に、前記端末の前記端末カテゴリにより示される前記ＭＩＭＯ能力に基づき前記ビット数を決定するステップ、又は前記指示情報が前記端末へ送信された後に、前記端末と前記基地局との間の前記対応に基づき前記ビット数を決定するステップ、を更に有する。
【００１１】
第１の態様、又は第１の態様の第１の可能な実装方法を参照して、第６の可能な実装方法では、前記指示情報は、前記端末により送信される前記ＲＩにより占有される前記ビット数を有する。
【００１２】
第１の態様の第６の可能な実装方法を参照して、第７の可能な実装方法では、前記方法は、前記ビット数が前記端末の前記帯域結合により示される前記ＭＩＭＯ能力に基づき決定されるとき、前記端末により現在用いられている帯域結合が少なくとも２回現れる帯域を含む場合、前記帯域により示されるサポートされるＭＩＭＯレイヤの最大数の最大値に基づき、前記帯域に対応する前記ビット数を決定するステップ、を更に有する。
【００１３】
第２の態様では、ランク指示（ＲＩ）ビット数を決定する方法が提供される。当該方法は、端末により、基地局により送信される指示情報を受信するステップであって、前記指示情報は、ＲＩを送信するために占有されるビット数を決定するために前記端末により用いられる情報を有する、ステップと、前記端末により、前記指示情報に従って、前記ＲＩにより占有される前記ビット数を決定するステップと、を有する。
【００１４】
第２の態様を参照して、第１の可能な実装方法では、前記端末により、前記指示情報に従って、前記ＲＩにより占有される前記ビット数を決定するステップは、前記指示情報に従って、端末カテゴリにより示されるＭＩＭＯ能力又は帯域結合により示されるＭＩＭＯ能力に基づき、前記ビット数を決定することを選択するステップ、を有する。
【００１５】
第２の態様の第１の可能な実装方法を参照して、第２の可能な実装方法では、前記指示情報は、ＣＱＩ（channel  quality  indicator）レポート構成情報を有する。前記端末により前記指示情報に従って前記ＲＩにより占有される前記ビット数を決定するステップは、前記基地局により送信された第１のＣＱＩレポート構成情報が受信された場合、前記帯域結合により示される前記ＭＩＭＯ能力に基づき前記ビット数を決定するステップ、又は前記基地局により送信された第２のＣＱＩレポート構成情報が受信された場合、前記端末カテゴリにより示される前記ＭＩＭＯ能力に基づき前記ビット数を決定するステップ、を有する。
【００１６】
第２の態様の第１の可能な実装方法を参照して、第３の可能な実装方法では、前記指示情報は、ＣＱＩレポート構成情報を有する。前記端末により、前記指示情報に従って、前記ＲＩにより占有される前記ビット数を決定するステップは、前記基地局により送信された受信された前記ＣＱＩレポート構成情報が第１の情報を伝達する場合、前記第１の情報は、前記端末の前記帯域結合により示される前記ＭＩＭＯ能力に基づき前記ビット数を決定するよう、前記端末に指示するために用いられ、前記帯域結合により示される前記ＭＩＭＯ能力に基づき前記ビット数を決定するステップ、又は前記基地局により送信された受信された前記ＣＱＩレポート構成情報が前記第１の情報を伝達しない場合、前記端末カテゴリにより示される前記ＭＩＭＯ能力に基づき前記ビット数を決定するステップ、又は前記基地局により送信された受信された前記ＣＱＩレポート構成情報が第２の情報を伝達する場合、前記第２の情報は、前記端末カテゴリにより示される前記ＭＩＭＯ能力に従って前記ビット数を決定するよう、前記端末に指示するために用いられ、前記端末カテゴリにより示される前記ＭＩＭＯ能力に基づき前記ビット数を決定するステップ、を有する。
【００１７】
第２の態様の第１の可能な実装方法を参照して、第４の可能な実装方法では、前記指示情報は、ＣＡ（carrier  aggregation）指示情報を有する。前記端末により、前記指示情報に従って、前記ＲＩにより占有されるビット数を決定するステップは、前記基地局により送信された前記ＣＡ指示情報が受信された場合、前記帯域結合により示される前記ＭＩＭＯ能力に基づき前記ビット数を決定するステップ、を有する。
【００１８】
第２の態様の第１の可能な実装方法乃至第４の可能な実装方法のうちの１つを参照して、第５の可能な実装方法では、前記端末により、前記指示情報に従って、前記ＲＩにより占有される前記ビット数を決定するステップは、前記ビット数が前記端末の前記帯域結合により示される前記ＭＩＭＯ能力に基づき決定されるとき、現在使用されている帯域結合が少なくとも２回現れる帯域を有する場合、前記帯域により示されるサポートされるＭＩＭＯレイヤの最大数の最大値に基づき、前記帯域に対応する前記ビット数を決定するステップ、を有する。
【００１９】
第２の態様の第１の可能な実装方法乃至第５の可能な実装方法のうちの任意の１つを参照して、第６の可能な実装方法では、前記方法は、前記基地局により送信された前記指示情報を受信する前に、前記端末カテゴリにより示される前記ＭＩＭＯ能力に基づき前記ビット数を決定するステップ、を更に有する。
【００２０】
第２の態様を参照し、第７の可能な実装方法では、端末により、基地局により送信された指示情報を受信するステップは、前記端末により、前記ＲＩにより占有され前記基地局により送信された前記ビット数を受信するステップ、を有する。
【００２１】
第３の態様では、基地局が提供される。当該基地局は、端末と基地局との間の対応、及び前記端末のＭＩＭＯ（multi−input  multi−output）能力に従って、指示情報を決定するよう構成される指示情報決定ユニットであって、前記指示情報は、ＲＩを送信するために占有されるビット数を決定するために前記端末により使用される情報を有する、指示情報決定ユニットと、前記端末が前記指示情報に従って前記ＲＩ（rank  indication）を送信するために占有される前記ビット数を決定できるように、前記端末へ前記指示情報を送信するよう構成される指示情報送信ユニットと、を有する。
【００２２】
第３の態様を参照して、第１の可能な実装方法では、指示情報決定ユニットは、具体的には、端末が基地局に適合するとき、端末の端末カテゴリにより示されるＭＩＭＯ（multi−input  multi−output）能力又は端末の帯域結合により示されるＭＩＭＯ能力に基づき、指示情報を決定し、又は、端末が基地局に適合しないとき、端末の端末カテゴリにより示されるＭＩＭＯ能力に基づき指示情報を決定するよう、構成される。
【００２３】
第３の態様の第１の可能な実装方法を参照して、第２の可能な実装方法では、前記指示情報は、ＣＱＩレポート構成情報を有する。前記指示情報決定ユニットは、前記指示情報が前記端末の前記帯域結合により示される前記ＭＩＭＯ能力に基づき決定されるとき、第１のＣＱＩレポート構成情報を前記指示情報として決定し、前記指示情報が前記端末の前記端末カテゴリにより示される前記ＭＩＭＯ能力に基づき決定されるとき、第２のＣＱＩレポート構成情報を前記指示情報として決定する、よう構成される第１の決定サブユニット、を有する。
【００２４】
第３の態様の第１の可能な実装方法を参照して、第３の可能な実装方法では、前記指示情報は、ＣＱＩレポート構成情報を有する。前記指示情報決定ユニットは、第３の決定サブユニットであって、前記指示情報が前記端末の前記帯域結合により示される前記ＭＩＭＯ能力に基づき決定されるとき、前記ＣＱＩレポート構成情報の中で第１の情報を伝達することを決定し、前記第１の情報は、前記端末の前記帯域結合により示される前記ＭＩＭＯ能力に基づき前記ビット数を決定するよう前記端末に指示するために使用され、或いは、前記指示情報が前記端末の前記端末カテゴリにより示される前記ＭＩＭＯ能力に基づき決定されるとき、前記ＣＱＩレポート構成情報により、前記端末の前記端末カテゴリにより示される前記ＭＩＭＯ能力に基づき前記ビット数を決定するよう前記端末に指示し、或いは、前記指示情報が前記端末の前記端末カテゴリにより示される前記ＭＩＭＯ能力に基づき決定されるとき、前記ＣＱＩレポート構成情報の中で第２の情報を伝達し、前記第２の情報は、前記端末カテゴリにより示される前記ＭＩＭＯ能力に従って前記ビット数を決定するよう前記端末に指示するために使用される、よう構成される第３の決定サブユニットを有する。
【００２５】
第３の態様を参照して、第４の可能な実装方法では、前記指示情報は、ＣＡ（carrier  aggregation）指示情報を有する。前記指示情報決定ユニットは、具体的には、前記ＣＡ指示情報を前記指示情報として決定し、前記ＣＡ指示情報は、前記端末に、前記端末の前記帯域結合により示される前記ＭＩＭＯ能力に従って前記ビット数を決定するよう指示するために使用される、よう構成される。
【００２６】
第３の態様、又は第３の態様の第１の可能な実装方法乃至第４の可能な実装方法のうちの任意の１つを参照して、第５の可能な実装方法では、当該基地局は、ＲＩビット決定ユニットであって、前記指示情報が前記端末へ送信される前に、前記端末の前記端末カテゴリにより示される前記ＭＩＭＯ能力に基づき前記ビット数を決定し、又は前記指示情報が前記端末へ送信された後に、前記端末と前記基地局との間の前記対応に基づき前記ビット数を決定する、よう構成されるＲＩビット決定ユニット、を更に有する。
【００２７】
第３の態様を参照して、第６の可能な実装方法では、前記指示情報決定ユニットは、前記端末により送信された前記ＲＩにより占有される前記ビット数を、前記指示情報として決定するよう構成される。
【００２８】
第３の態様の第１の可能な実装方法を参照して、第７の可能な実装方法では、前記指示情報決定ユニットは、具体的には、前記ビット数が前記端末の前記帯域結合により示される前記ＭＩＭＯ能力に基づき決定されるとき、前記端末により現在用いられている帯域結合が少なくとも２回現れる帯域を含む場合、前記帯域により示されるサポートされるＭＩＭＯレイヤの最大数の最大値に基づき、前記帯域に対応する前記ビット数を決定するよう構成される。
【００２９】
第４の態様では、端末が提供される。当該端末は、基地局により送信された指示情報を受信するよう構成される指示情報受信ユニットであって、前記指示情報はＲＩを送信するために占有されるビット数を決定するために前記端末により用いられる、指示情報受信ユニットと、前記指示情報に従って、ランク指示（ＲＩ）により占有される前記ビット数を決定するよう構成されるＲＩビット決定ユニットと、を有する。
【００３０】
第４の態様を参照して、第１の可能な実装方法では、前記ＲＩビット決定ユニットは、具体的には、指示情報受信ユニットにより受信された前記指示情報に従って、端末カテゴリにより示されるＭＩＭＯ（multi−input  multi−output）能力又は帯域結合により示されるＭＩＭＯ能力に基づき、前記ビット数を決定することを選択するよう構成される。
【００３１】
第４の態様の第１の可能な実装方法を参照して、第２の可能な実装方法では、前記指示情報は、ＣＱＩ（channel  quality  indicator）レポート構成情報を有する。前記ＲＩビット決定ユニットは、前記指示情報受信ユニットが前記基地局により送信された第１のＣＱＩレポート構成情報を受信すると、前記帯域結合により示される前記ＭＩＭＯ能力に基づき前記ビット数を決定するよう構成される第１の決定サブユニットと、前記指示情報受信ユニットが前記基地局により送信された第２のＣＱＩレポート構成情報を受信すると、前記端末カテゴリにより示される前記ＭＩＭＯ能力に基づき前記ビット数を決定するよう構成される第２の決定サブユニットと、を有する。
【００３２】
第４の態様の第１の可能な実装方法を参照して、第３の可能な実装方法では、前記指示情報は、ＣＱＩレポート構成情報を有する。前記ＲＩ決定ユニットは、第３の決定サブユニットであって、前記基地局により送信され前記指示情報受信ユニットにより受信された前記ＣＱＩレポート構成情報が第１の情報を伝達し、前記第１の情報が、前記端末の前記帯域結合により示される前記ＭＩＭＯ能力に基づき前記ビット数を決定するよう前記端末に指示するために用いられる場合、前記端末の前記帯域結合により示される前記ＭＩＭＯ能力に基づき前記ビット数を決定し、或いは、前記基地局により送信された受信された前記ＣＱＩレポート構成情報が第１の情報を伝達しない場合、前記端末カテゴリにより示される前記ＭＩＭＯ能力に基づき前記ビット数を決定し、或いは、前記基地局により送信された受信された前記ＣＱＩレポート構成情報が第２の情報を伝達し、前記第２の情報が、前記端末カテゴリにより示される前記ＭＩＭＯ能力に従って前記ビット数を決定するよう前記端末に指示するために用いられる場合、前記端末カテゴリにより示される前記ＭＩＭＯ能力に基づき前記ビット数を決定する、よう構成される第３の決定サブユニット、を有する。
【００３３】
第４の態様を参照し、第４の可能な実装方法では、前記ＲＩビット決定ユニットは、具体的には、前記指示情報受信ユニットが前記基地局により送信された前記ＣＡ指示情報を受信すると、前記帯域結合により示される前記ＭＩＭＯ能力に基づき前記ビット数を決定するよう構成される。
【００３４】
第４の態様の第１の可能な実装方法乃至第４の可能な実装方法のうちの１つを参照して、第５の可能な実装方法では、前記ＲＩビット決定ユニットは、前記ビット数が前記端末の前記帯域結合により示される前記ＭＩＭＯ能力に基づき決定されるとき、現在使用されている帯域結合が少なくとも２回現れる帯域を有する場合、前記帯域により示されるサポートされるＭＩＭＯレイヤの最大数の最大値に基づき、前記帯域に対応する前記ビット数を決定するよう更に構成される。
【００３５】
第４の態様、又は第４の態様の第１の可能な実装方法乃至第５の可能な実装方法のうちの任意の１つを参照して、第６の可能な実装方法では、前記ＲＩビット決定ユニットは、前記指示情報受信ユニットが前記基地局により送信された前記指示情報を受信する前に、前記端末カテゴリにより示される前記ＭＩＭＯ能力に基づき前記ビット数を決定するよう更に構成される。
【００３６】
第４の態様を参照して、第７の可能な実装方法では、前記指示情報受信ユニットは、具体的には、前記ＲＩにより占有され前記基地局により送信された前記ビット数を受信するよう構成され、前記ＲＩビット決定ユニットは、具体的には、前記指示情報受信ユニットにより受信される前記ビット数を、前記ＲＩにより占有される前記ビット数として用いるよう構成される。
【００３７】
第５の態様では、基地局が提供される。当該基地局は、端末と基地局との間の対応、及び前記端末のＭＩＭＯ（multi−input  multi−output）能力に従って、指示情報を決定するよう構成されるプロセッサであって、前記指示情報は、ランク指示（ＲＩ）を送信するために占有されるビット数を決定するために前記端末により使用される情報を有する、プロセッサと、前記端末が前記指示情報に従って前記ＲＩを送信するために占有される前記ビット数を決定できるように、前記端末へ前記指示情報を送信するよう構成される送信機と、を有する。
【００３８】
第５の態様を参照して、第１の可能な実装方法では、前記プロセッサは、具体的には、前記端末が前記基地局に適合するとき、前記端末の端末カテゴリにより示されるＭＩＭＯ（multi−input  multi−output）能力又は前記端末の帯域結合により示されるＭＩＭＯ能力に基づき、前記指示情報を決定し、又は、前記端末が前記基地局に適合しないとき、前記端末の端末カテゴリにより示されるＭＩＭＯ能力に基づき前記指示情報を決定するよう、構成される。
【００３９】
第５の態様の第１の可能な実装方法を参照して、第２の可能な実装方法では、前記指示情報は、ＣＱＩ（channel  quality  indicator）レポート構成情報を有する。プロセッサは、具体的には、指示情報が端末の帯域結合により示されるＭＩＭＯ能力に基づき決定されるとき、第１のＣＱＩレポート構成情報を指示情報として決定し、指示情報が端末の端末カテゴリにより示されるＭＩＭＯ能力に基づき決定されるとき、第２のＣＱＩレポート構成情報を指示情報として決定する、よう構成される。
【００４０】
第５の態様の第１の可能な実装方法を参照して、第３の可能な実装方法では、前記指示情報は、ＣＱＩレポート構成情報を有する。前記プロセッサは、具体的には、前記指示情報が前記端末の前記帯域結合により示される前記ＭＩＭＯ能力に基づき決定されるとき、前記ＣＱＩレポート構成情報の中で第１の情報を伝達することを決定し、前記第１の情報は、前記端末の前記帯域結合により示される前記ＭＩＭＯ能力に基づき前記ビット数を決定するよう前記端末に指示するために使用され、或いは、前記指示情報が前記端末の前記端末カテゴリにより示される前記ＭＩＭＯ能力に基づき決定されるとき、前記ＣＱＩレポート構成情報の中で前記第１の情報を伝達しないと決定して、前記端末の前記端末カテゴリにより示される前記ＭＩＭＯ能力に基づき前記ビット数を決定するよう前記端末に指示し、或いは、前記指示情報が前記端末の前記端末カテゴリにより示される前記ＭＩＭＯ能力に基づき決定されるとき、前記ＣＱＩレポート構成情報の中で第２の情報を伝達し、前記第２の情報は、前記端末カテゴリにより示される前記ＭＩＭＯ能力に従って前記ビット数を決定するよう端末に指示するために使用される、よう構成される。
【００４１】
第５の態様の第１の可能な実装方法を参照して、第４の可能な実装方法では、前記指示情報は、ＣＡ（carrier  aggregation）指示情報を有する。前記プロセッサは、具体的には、前記ＣＡ指示情報を前記指示情報として決定するよう構成され、前記ＣＡ指示情報は、前記端末に、前記端末の前記帯域結合により示される前記ＭＩＭＯ能力に従って前記ビット数を決定するよう指示するために使用される。
【００４２】
第５の態様、又は第５の態様の第４の可能な実装方法について第１の可能な実装方法のうちの任意の１つを参照して、第５の可能な実装方法では、前記プロセッサは、前記指示情報が前記端末へ送信される前に、前記端末の前記端末カテゴリにより示される前記ＭＩＭＯ能力に基づき前記ビット数を決定し、又は前記指示情報が前記端末へ送信された後に、前記端末と前記基地局との間の前記対応に基づき前記ビット数を決定する、よう更に構成される。
【００４３】
第５の態様を参照して、第６の可能な実装方法では、前記プロセッサは、具体的には、前記端末により送信された前記ＲＩにより占有される前記ビット数を、前記指示情報として決定するよう構成される。
【００４４】
第５の態様の第６の可能な実装方法を参照して、第７の可能な実装方法では、前記プロセッサは、前記ビット数が前記端末の前記帯域結合により示される前記ＭＩＭＯ能力に基づき決定されるとき、前記端末により現在用いられている帯域結合が少なくとも２回現れる帯域を含む場合、前記帯域により示されるサポートされるＭＩＭＯレイヤの最大数の最大値に基づき、前記帯域に対応する前記ビット数を決定するよう更に構成される。
【００４５】
第６の態様では、端末が提供される。当該端末は、基地局により送信された指示情報を受信するよう構成される受信機であって、前記指示情報はランク指示（ＲＩ）を送信するために占有されるビット数を決定するために前記端末により用いられる、受信機と、前記指示情報に従って、前記ＲＩにより占有される前記ビット数を決定するよう構成されるプロセッサと、を有する。
【００４６】
第６の態様を参照して、第１の可能な実装方法では、前記プロセッサは、具体的には、前記受信機により受信された前記指示情報に従って、端末カテゴリにより示されるＭＩＭＯ（multi−input  multi−output）能力又は帯域結合により示されるＭＩＭＯ能力に基づき、前記ビット数を決定することを選択するよう構成される。
【００４７】
第６の態様又は第６の態様の第１の可能な実装方法を参照して、第２の可能な実装方法では、前記指示情報は、ＣＱＩレポート構成情報を有する。前記プロセッサは、具体的には、前記受信機が前記基地局により送信された第１のＣＱＩレポート構成情報を受信すると、前記帯域結合により示される前記ＭＩＭＯ能力に基づき前記ビット数を決定し、前記受信機が前記基地局により送信された第２のＣＱＩレポート構成情報を受信すると、前記端末カテゴリにより示される前記ＭＩＭＯ能力に基づき前記ビット数を決定する、よう構成される。
【００４８】
第６の態様の第１の可能な実装方法を参照して、第３の可能な実装方法では、前記指示情報は、ＣＱＩレポート構成情報を有する。前記プロセッサは、具体的には、前記基地局により送信され前記受信機により受信された前記ＣＱＩレポート構成情報が第１の情報を伝達し、前記第１の情報が、前記端末の前記帯域結合により示される前記ＭＩＭＯ能力に基づき前記ビット数を決定するよう前記端末に指示するために用いられる場合、前記端末の前記帯域結合により示される前記ＭＩＭＯ能力に基づき前記ビット数を決定し、或いは、前記基地局により送信され前記受信機により受信された前記ＣＱＩレポート構成情報が第１の情報を伝達しない場合、前記端末カテゴリにより示される前記ＭＩＭＯ能力に基づき前記ビット数を決定し、或いは、前記基地局により送信された受信された前記ＣＱＩレポート構成情報が第２の情報を伝達し、前記第２の情報が、前記端末カテゴリにより示される前記ＭＩＭＯ能力に従って前記ビット数を決定するよう前記端末に指示するために用いられる場合、前記端末カテゴリにより示される前記ＭＩＭＯ能力に基づき前記ビット数を決定する、よう構成される。
【００４９】
第６の態様の第１の可能な実装方法を参照し、第４の可能な実装方法では、前記プロセッサは、具体的には、前記受信機が前記基地局により送信されたＣＡ指示情報を受信すると、前記帯域結合により示される前記ＭＩＭＯ能力に基づき前記ビット数を決定するよう構成される。
【００５０】
第６の態様の第１の可能な実装方法乃至第４の可能な実装方法のうちの１つを参照して、第５の可能な実装方法では、前記プロセッサは、前記ビット数が前記端末の前記帯域結合により示される前記ＭＩＭＯ能力に基づき決定されるとき、現在使用されている帯域結合が少なくとも２回現れる帯域を有する場合、前記帯域により示されるサポートされるＭＩＭＯレイヤの最大数の最大値に基づき、前記帯域に対応する前記ビット数を決定するよう更に構成される。
【００５１】
第６の態様、又は第６の態様の第１の可能な実装方法乃至第５の可能な実装方法のうちの任意の１つを参照して、第６の可能な実装方法では、前記プロセッサは、前記受信機が前記基地局により送信された前記指示情報を受信する前に、前記端末カテゴリにより示される前記ＭＩＭＯ能力に基づき前記ビット数を決定するよう更に構成される。
【００５２】
第６の態様を参照し、第７の可能な実装方法では、前記受信機は、具体的には、前記ＲＩにより占有され前記基地局により送信された前記ビット数を受信するよう構成され、  前記プロセッサは、具体的には、前記受信機により受信される前記ビット数を、前記ＲＩにより占有される前記ビット数として用いるよう構成される。
【００５３】
本発明により提供される、ランク指示（ＲＩ）ビット数を決定する方法、基地局、及び端末の技術的効果は次の通りである。端末が指示情報に従ってＲＩにより占有されるビット数を決定できるように、基地局は端末へ指示情報を送信する。したがって、基地局側と端末側はＲＩにより占有されるビット数を決定する基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【図面の簡単な説明】
【００５４】
【図１】本発明によるランク指示（ＲＩ）ビット数を決定する方法の一実施形態の原理を説明する概略図である。
【図２】本発明によるランク指示（ＲＩ）ビット数を決定する方法の一実施形態の概略フローチャートである。
【図３】本発明によるランク指示（ＲＩ）ビット数を決定する方法の別の実施形態の概略フローチャートである。
【図４】本発明によるランク指示（ＲＩ）ビット数を決定する方法の更に別の実施形態の概略シグナリング図である。
【図５】本発明によるランク指示（ＲＩ）ビット数を決定する方法の更に別の実施形態の概略シグナリング図である。
【図６】本発明によるランク指示（ＲＩ）ビット数を決定する方法の更に別の実施形態の概略シグナリング図である。
【図７】本発明によるランク指示（ＲＩ）ビット数を決定する方法の更に別の実施形態の概略シグナリング図である。
【図８】本発明による基地局の一実施形態の概略的構造図である。
【図９】本発明による基地局の別の実施形態の概略的構造図である。
【図１０】本発明による端末の一実施形態の概略的構造図である。
【図１１】本発明による端末の別の実施形態の概略的構造図である。
【図１２】本発明による基地局の一実施形態の概略的物理構造図である。
【図１３】本発明による端末の一実施形態の概略的物理構造図である。
【発明を実施するための形態】
【００５５】
本発明の目的、技術的解決策、及び利点を明確にするために、以下に、本発明の実施形態における技術的解決策を本発明の実施形態における添付の図面を参照して明確且つ完全に記載する。明らかに、記載される実施形態は、本発明の実施形態の一部であり、全ての実施形態ではない。本発明の実施形態に基づき創造的労力を有しないで当業者により得られる全ての他の実施形態は、本発明の保護範囲に包含される。
【００５６】
添付の図面は単に例示的な実施形態の概略図であり、添付の図面の中のモジュール又はプロセスは必ずしも本発明を実施する際に必要ないことが、当業者により理解されるべきである。
【００５７】
本文書は、端末及び／又は基地局を参照して種々の態様を記載する。
【００５８】
端末は、ユーザに音声及び／又はデータ接続を提供する装置を表し、無線端末又は有線端末であっても良い。無線端末は、無線接続機能を備えるハンドヘルド装置、又は無線アクセスネットワークを通じて１又は複数のコアネットワークと通信するモバイル端末である無線モデムに接続される別の処理装置であっても良い。例えば、無線端末は、携帯電話機（又は「セルラ」フォンとして参照される）、及びモバイル端末を備えるコンピュータであっても良い。別の例では、無線端末は、ポータブル、ポケット、ハンドヘルド、コンピュータ実装、又は車載モバイル機器であっても良い。更に別の例では、無線端末は、移動局（英語でmobile  station）、アクセスポイント（英語でaccess  point）、又はユーザ機器（英語でuser  equipment：ＵＥ）であっても良い。説明を簡単にするため、前述の端末は、本発明の実施形態の各々において集合的にＵＥとして参照される。
【００５９】
基地局は、アクセスネットワークの中で無線インタフェースで１又は複数のセルを通じて無線端末と通信する装置であっても良い。例えば、基地局は、ＧＳＭ（登録商標）又はＣＤＭＡではベーストランシーバ局（英語でbase  transceiver  station：ＢＴＳ）、ＷＣＤＭＡ（登録商標）ではＮｏｄｅＢ（英語でNodeB）、ＬＴＥではevolved  NodeB（evolved  Node  B：ｅＮＢ又はｅ−ＮｏｄｅＢ）、又はそれ以降の発展ネットワークにおける基地局であっても良く、本発明では限定されない。
【００６０】
本発明の実施形態は、主に、基地局及びＵＥにより、ＲＩを送信するために占有されるビット数を決定する方法を記載する。本発明の実施形態におけるＲＩビット数を決定する方法を記載する前に、本発明の実施形態におけるソリューションを明らかにするために、ＲＩレポートにおける幾つかの基本概念が定められる。
【００６１】
ＭＩＭＯ技術では、無線条件に適応するために、基地局がＲＩに従って適応型変調及び符号化を実行できるように、ＵＥはＲＩを基地局に報告する必要がある。ＵＥがＲＩをレポートするとき、ＵＥは、ＲＩにより占有される特定のビット数に従って符号化を実行し、ＲＩを基地局へ送信し、基地局は、ＲＩを得るためにビット数に従って復号化を実行する。
【００６２】
端末のＭＩＭＯ能力は、端末のサポートされるＭＩＭＯレイヤの最大数の上位概念である。ＭＩＭＯ能力は、帯域間キャリアアグリゲーション（Carrier  Aggregation：ＣＡ）／帯域内連続ＣＡ／帯域内非連続ＣＡ／非ＣＡの異なるシナリオに基づき構成される。
【００６３】
３ＧＰＰ  Ｒｅｌｅａｓｅ８／９バージョンでは、アンテナのポート構成が考慮されない場合（つまり、基地局がデフォルトで８個のポートを有する）、ＭＩＭＯレイヤの最大数が２であるとき、ＲＩにより占有されるビット数は１であり、ＭＩＭＯレイヤの最大数が４であるとき、２ビットが占有され、ＭＩＭＯレイヤの最大数が８であるとき、３ビットが占有される。したがって、ＵＥは、ＲＩにより占有されるビット数を決定し、符号化を実行する。相応して、基地局は、ＲＩのビット数を決定し復号化を実行する。ＵＥによりサポートされるＭＩＭＯレイヤの最大数は、ＵＥのカテゴリ（ＵＥカテゴリ）により決定される。ＵＥは異なる帯域（バンド）をサポートし得るが、ＵＥは、同じＭＩＭＯ能力を有する（つまり、全てのサポートされる帯域において、ＵＥによりサポートされるＭＩＭＯレイヤの最大数は、同じである）。言い換えると、Ｒｅｌｅａｓｅ８／９バージョンでは、前述のＭＩＭＯ能力はＵＥレベルである。例えば、ＵＥのＣａｔｅｇｏｒｙ値が５であり、対応するＭＩＭＯレイヤの最大数が４であり、ＲＩにより占有され及びＭＩＭＯレイヤの最大数４に対応するビット数が２である場合、ＵＥは、ＲＩを基地局へ送信するとき、符号化のためにＲＩは２ビットを占有すると決定しても良い。
【００６４】
３ＧＰＰ  Ｒｅｌｅａｓｅ１０バージョンでは、帯域結合（band  combination）情報要素は、ＵＥのアクセス能力に新たに導入される。この情報要素は、異なる帯域におけるＵＥのＭＩＭＯ能力を示しても良く、異なる帯域に対応するサポートされるＭＩＭＯ能力の最大数は異なる。つまり、ＭＩＭＯ能力は帯域レベルである（注：Ｒｅｌｅａｓｅ１０では、帯域結合パラメータ及びカテゴリパラメータの両方は、ＵＥのアクセス能力の中に存在する）。ＲＩにより占有されるビット数は、現在のサービングセルが位置する帯域においてＵＥがサポートするＭＩＭＯレイヤの最大数に関連する。例えば、ＵＥの帯域結合により示されるＭＩＭＯレイヤの最大数が８である場合、ＲＩにより占有される及びＭＩＭＯレイヤの数８に対応するビット数は３であり、ＵＥはＲＩが３ビットを占有することに従って符号化を実行する。
【００６５】
前述の端末カテゴリ（ＵＥカテゴリ）は、ＵＥアクセス能力の一部であり、帯域結合（band  combination）も、ＵＥアクセス能力の一部である。ＵＥアクセス能力は、ＵＥのバージョン番号を更に有しても良い。ＵＥアクセス能力は静的能力であり、ＵＥがオンのとき、ＵＥアクセス能力は、記憶するために移動性管理エンティティ（mobility  management  entity：ＭＭＥ）へ送信される。ＵＥが無線リソース制御（radio  resource  control：ＲＲＣ）接続設定を開始するとき、基地局は、ＭＭＥからＵＥアクセス能力を要求する。
【００６６】
以下に、本発明の実施形態において、ＲＩビット数を決定する方法、基地局側及び端末側における改良したソリューションを詳細に記載する。
【００６７】
＜実施形態１＞
図１は、本発明によるランク指示（ＲＩ）ビット数を決定する方法の一実施形態の原理を説明する概略図である。図２は、本発明によるＲＩビット数を決定する方法の一実施形態の概略フローチャートである。本実施形態の方法は、基地局により実行され、ＵＥは、本発明の実施形態では端末として参照される。図２に示すように、方法は以下のステップを含む。
【００６８】
２０１：基地局は、端末と基地局との間の対応、及び端末のＭＩＭＯ（multi−input  multi−output）能力に従って、指示情報を決定する。ここで、指示情報は、ＲＩを送信するために占有されるビット数を決定するために端末により使用される情報を含む。
【００６９】
本発明の実施形態では、ＵＥがＲＩを送信するときＲＩにより占有されるビット数は、基地局により送信された指示情報に従ってＵＥにより決定される。このステップでは、基地局は、端末と基地局との間の対応、及び端末のＭＩＭＯ能力に従って、指示情報を決定する。
【００７０】
任意で、基地局は、以下の方法に従って指示情報を決定しても良い。端末が基地局に適合するとき、端末の端末カテゴリにより示されるＭＩＭＯ（multi−input  multi−output）能力、又は端末の帯域結合により示されるＭＩＭＯ能力に基づき、指示情報を決定する。
【００７１】
任意で、基地局は、以下の方法に従っても指示情報を決定しても良い。端末が基地局に適合しないとき、端末の端末カテゴリにより示されるＭＩＭＯ能力に基づき、指示情報を決定する。
【００７２】
前述の２つの代替方法では、「適合する」の意味は、例えば、基地局の３ＧＰＰ  Ｒｅｌｅａｓｅバージョンが端末のそれと同じであり（例えば、基地局の種類と端末の種類の両方がＲｅｌｅａｓｅ１０バージョンである）、したがって基地局が端末に適合すると言える。基地局のＲｅｌｅａｓｅバージョンが端末のそれと異なる場合（例えば、基地局の種類がＲｅｌｅａｓｅ１０バージョンであり、一方、端末の種類はＲｅｌｅａｓｅ８バージョンである）、基地局は端末に適合しないと言える。別の例では、基地局が端末に適合するか否かは、２者の能力により反映されても良い。例えば、ＵＥは帯域結合能力を有し、基地局は正しく復号化を実行できる。これは、基地局がＵＥに適合することも示す。
【００７３】
基地局が端末に適合するか否かに従って基地局が指示情報を決定することを説明するために、以下に一例が提供される。
【００７４】
例えば、基地局が端末に適合し、両者はＲｅｌｅａｓｅ１０バージョンである場合、基地局は、端末カテゴリ又は帯域結合に基づき指示情報を決定しても良い。基地局が端末に適合し、両者はＲｅｌｅａｓｅ８／９バージョンである場合、基地局は、端末カテゴリに基づき指示情報を決定しても良い。
【００７５】
別の例では、基地局のバージョンが端末のバージョンより古い又は新しいというように、基地局が端末に適合しない場合、基地局は、端末カテゴリに基づき指示情報を決定しても良い。任意で、基地局のバージョンが端末のバージョンより新しい、又は基地局のバージョンが端末のバージョンと同じとき、基地局及び端末は、端末カテゴリに基づき別個にビット数を決定しても良く、基地局は指示情報を端末へ送信する必要がない。なお、バージョンの新しい又は古いは、Ｒｅｌｅａｓｅ１０バージョンに従って決定されても良い。例えば、基地局がＲｅｌｅａｓｅ１０バージョン以降のバージョンであり、端末がＲｅｌｅａｓｅ９バージョン以前のバージョンである場合、基地局のバージョンは、端末のバージョンより新しい。この場合、基地局は新しいバージョンの基地局であり、端末は古いバージョンの端末であるとも言える。
【００７６】
基地局は、基地局が端末に適合するか否かに従って、どのＭＩＭＯ能力に基づき、ＲＩにより占有されるビット数を計算するかを決定し、端末に指示情報を送信する。したがって、基地局及び端末は、ＲＩを決定するための決定基準を有し、基地局及び端末の両者は、決定基準に従ってＲＩビット数を計算する。このように、基地局及び端末により決定されるＲＩビット量が同じであることが保証できる。したがって、基地局は、端末により送信されるＲＩを理解でき、それにより、２者間のＭＩＭＯ機能の正常な実施を保証する。
【００７７】
２０２：端末へ指示情報を送信し、したがって端末は、指示情報に従ってＲＩを送信するために占有されるビットを決定する。
【００７８】
基地局は、ＵＥへ決定した指示情報を送信する。ここで、指示情報は、ＲＩにより占有されるビット数を決定するために端末により使用される。つまり、基地局は、指示情報を使用することにより、ＲＩにより占有されるビット量とＵＥ及び基地局により決定されるビット量が同じであることを保証する。
【００７９】
２０１で記載したように、基地局は、端末の端末カテゴリにより示されるＭＩＭＯ能力に基づき指示情報を決定し、又は端末の帯域結合により示されるＭＩＭＯ能力に基づき指示情報を決定しても良い。指示情報を決定するための基礎は異なり、したがって、送信される指示情報も異なっても良い。例えば、端末の端末カテゴリにより示されるＭＩＭＯ能力に基づき決定された指示情報は、帯域結合により示されるＭＩＭＯ能力に基づき決定された指示情報と異なる。なお、基地局は、指示情報として複数の方法で情報を用いても良い。
【００８０】
任意で、基地局により決定される指示情報は、ＣＱＩレポート構成情報を有しても良い。具体的には、この種の指示情報が与えられると、以下の２つの代替方法が採用されても良い。
【００８１】
第１の方法は次の通りである。指示情報が端末の帯域結合により示されるＭＩＭＯ能力に基づき決定されるとき、基地局は、第１のＣＱＩレポート構成情報を端末へ送信しても良い。したがって、端末は、第１のＣＱＩレポート構成情報に従ってビット数を決定する。或いは、指示情報が端末の端末カテゴリにより示されるＭＩＭＯ能力に基づき決定されるとき、基地局は、第２のＣＱＩレポート構成情報を端末へ送信しても良い。したがって、端末は、第２のＣＱＩレポート構成情報に従ってビット数を決定する。
【００８２】
例えば、第１のＣＱＩレポート構成情報は、３ＧＰＰ  Ｒｅｌｅａｓｅ１０以降のバージョンのＣＱＩレポート構成情報であっても良く、第２のＣＱＩレポート構成情報は、３ＧＰＰ  Ｒｅｌｅａｓｅ１０以前のバージョンのＣＱＩレポート構成情報であっても良い。
【００８３】
この方法の利点は、実装が比較的簡単であり、ＲＩビット数を決定する異なる基礎が異なるバージョンのＣＱＩレポート構成情報を送信することにより示され得ることである。
【００８４】
任意で、基地局は、端末の能力にも従って指示情報決定しても良い（例えば、基地局は、取得された端末能力の中の端末のバージョンに従って、端末が新しいバージョンであると決定しても良い）。端末が新しいバージョンであることも可能であるが、基地局により取得されたＵＥ能力は組合せを有しない（ＵＥ能力は帯域結合をサポートしない）。この場合には、基地局がＲｅｌｅａｓｅ１０以降のバージョンのＣＱＩレポート構成情報をＵＥへ送信しても、ＵＥは、依然として端末カテゴリにより示されるＭＩＭＯ能力に従ってビット数を決定し、基地局も端末カテゴリにより示されるＭＩＭＯ能力に従ってビット数を決定する。
【００８５】
第２の方法は次の通りである。指示情報が、端末の帯域結合により示されるＭＩＭＯ能力に基づき決定されるとき、ＣＱＩレポート構成情報の中の第１の情報を伝達する。ここで、第１の情報は、端末の帯域結合により示されるＭＩＭＯ能力に基づきビット数を決定するよう端末に指示するために用いられる。指示情報が端末の端末カテゴリにより示されるＭＩＭＯ能力に基づき決定されるとき、ＣＱＩレポート構成情報の中の第１の情報を伝達しない。ここで、ＣＱＩレポート構成情報は、端末の端末カテゴリにより示されるＭＩＭＯ能力に基づきビット数を決定するよう端末に指示するために用いられる。
指示情報が端末の端末カテゴリにより示されるＭＩＭＯ能力に基づき決定されるとき、ＣＱＩレポート構成情報の中の第２の情報を伝達する。ここで、第２の情報は、端末カテゴリにより示されるＭＩＭＯ能力に従ってビット数を決定するよう端末に指示するために用いられる。
【００８６】
例えば、第２の方法で、第１の情報又は第２の情報は、情報を示すためにビットを用いても良い。例えば、「０」は端末カテゴリにより示されるＭＩＭＯ能力を示すために用いられても良く、「１」は帯域結合により示されるＭＩＭＯ能力を示すために用いられても良い。基地局が、端末カテゴリにより示されるＭＩＭＯ能力に基づき、ＲＩにより占有されるビット数を決定することを選択する場合、第２の情報を提供するために「０」が送信されても良い。基地局が、帯域結合により示されるＭＩＭＯ能力に基づき、ＲＩにより占有されるビット数を決定することを選択する場合、第１の情報を提供するために「１」が送信されても良い。
【００８７】
第２の方法の実装方法は比較的柔軟であり、ＲＩビット数を決定するための異なる基礎の指示は比較的明らかなので、基地局は異なる方法を柔軟に選択できる。
【００８８】
任意で、基地局により決定される指示情報は、ＣＡ指示情報を有しても良い。
【００８９】
具体的には、この種の指示情報が与えられると、基地局は、ＣＡ指示情報を端末へ送信しても良い。ここで、ＣＡ指示情報は、端末の帯域結合により示されるＭＩＭＯ能力に従ってビット数を決定するよう端末に指示するために用いられる。
【００９０】
任意で、基地局により端末へ送信される指示情報は、正に、端末により送信されるＲＩにより占有されるビット数であっても良い。
【００９１】
この場合、基地局自体が、端末と基地局との間の対応に従って、端末カテゴリにより示されるＭＩＭＯ能力又は帯域結合により示されるＭＩＭＯ能力に基づき指示情報を決定することを決定した後に、基地局自体が、端末カテゴリ又は帯域結合により示されるＭＩＭＯ能力に従って、ＲＩにより占有されるビット数を計算し、ビット数をＵＥへ送信し、そして、ＵＥは送信のためにビット数を直接符号化し得る。
【００９２】
本方法と先の方法との間の差は次の点にある。先の方法では、ＵＥは、指示情報に従ってカテゴリ又は帯域結合を選択し、次に、ＵＥが、最終的に決定されたカテゴリ又は帯域結合に従って、ＲＩにより占有されるビット数を選択する。一方、本方法では、ＵＥは、ＲＩにより占有され基地局により配信されるビット数に従って直接符号化を実行し、ＲＩにより占有されるビット数は計算により基地局により得られ、ＵＥへ直接送信される。ビット数を直接送信する方法の利点は、次の通りである。端末側での処理が大幅に簡略化でき、端末側は、ビット数を受信した後にビット数に従ってＲＩを直接符号化でき、ＲＩビット数を計算又は決定する必要がない。さらに、基地局側もＲＩを復号化するときＲＩビット数を決定する必要がないので、基地局における処理もある程度簡略化できる。ビット数がＵＥへ直接送信される場合、指示情報は、追加で設計される必要がない。
【００９３】
任意で、基地局自体がＲＩビット数を計算するとき、以下の場合が生じ得る。ビット数が、端末の帯域結合により示されるＭＩＭＯ能力に基づき決定されるとき、端末により現在使用されている帯域結合が少なくとも２回現れる帯域を含む場合、該帯域に対応するビット数は、該帯域により示されるサポートされるＭＩＭＯレイヤの最大数の最大値に基づき決定される。これにより、基地局及び端末が決定された決定基準に基づきＲＩビット数を計算することを保証する。
【００９４】
任意で、指示情報を端末へ送信する前に、基地局は、端末の端末カテゴリにより示されるＭＩＭＯ能力に基づきビット数を決定する。或いは、指示情報を端末へ送信した後に、基地局は、端末と基地局との間の対応に基づき、ビット数を決定する。
【００９５】
さらに、基地局自体も、端末カテゴリにより示されるＭＩＭＯ能力又は帯域結合により示されるＭＩＭＯ能力に基づき、ＲＩにより占有されるビット数を決定する。そして、ＵＥにより報告されるＲＩを受信するとき、基地局は、ＲＩを得るために、ビット数に従って復号化を実行する。基地局及びＵＥは、同じ基準に基づきＲＩにより占有されるビット数を決定する、つまり、決定基準が同じなので、基地局及びＵＥは、ＲＩにより占有されるビット数について同じ決定結果を有する。それにより、基地局によるＲＩの正しい復号化及びＭＩＭＯ機能の正常な実装を保証する。本実施形態の基地局は、前述の方法に従って、ＲＩにより占有されるビット数を決定し、指示情報を端末へ送信する。ここで、２つの動作を実行するシーケンスは、本発明の実施形態に限定されない。
【００９６】
本実施形態の方法に従ってＲＩビット数を決定することにより、基地局及び端末側がＲＩにより占有されるビット数の理解について合意することが保証され得る。例えば、現在の標準プロトコルでは、基地局は、ＵＥのバージョン番号を知ることができるが、ＵＥは基地局のバージョン番号を知ることができない。したがって、Ｒｅｌ１０以降のバージョンのＵＥがＲｅｌ８／９の基地局にアクセスするとき、ＵＥは、帯域結合及びカテゴリを同時に報告しても良いが、帯域結合により示されるサポートされるＭＩＭＯレイヤの最大数に従ってＲＩにより占有されるビット数を決定する。しかしながら、古いバージョンＲｅｌ８／９の基地局は、Ｒｅｌ１０で新しく導入された帯域結合情報要素を認識できず、ＵＥのＣａｔｅｇｏｒｙ値に対応するサポートされるＭＩＭＯレイヤの最大数に従ってＲＩビット数を決定できるのみである。したがって、基地局及びＵＥは、ＲＩにより占有されるビット数の異なる理解を有する。例えば、ＵＥにより報告されるＣａｔｅｇｏｒｙ値は５で満たされ、対応するサポートされるＭＩＭＯレイヤの最大数が４レイヤであるが、ＵＥにより報告される帯域結合は、現在の帯域に対応するサポートされるＭＩＭＯレイヤの最大数が８レイヤであると示す。この場合、ＲＩを符号化するとき、ＵＥは、帯域結合に従って、ＲＩが３ビットを占有すると決定する。しかしながら、復号化を実行するとき、基地局は、Ｃａｔｅｇｏｒｙ値に従って、ＲＩが２ビットを占有すると見なす。結果として、基地局は、復号化により誤った値を得て、ＵＥにより報告されるＲＩを正しく得ることができない。したがって、基地局とＵＥとの間のＭＩＭＯ機能は正常に使用できない。本実施形態の方法を用いることにより、実際に基地局と端末の両者が、指示情報に従ってＲＩビット数を決定するので、基地局が端末により送信されたＲＩを正しく復号化することを保証でき、ＭＩＭＯ機能が基地局とＵＥとの間で正しいＲＩに基づき正常に使用できる。
【００９７】
＜実施形態２＞
図３は、本発明によるランク指示（ＲＩ）ビット数を決定する方法の別の実施形態の概略フローチャートである。本実施形態の方法は、ＵＥにより実行される。図３に示されるように、この方法は、以下を含む。
【００９８】
３０１：端末は、基地局により送信される指示情報を受信する。ここで、指示情報は、ＲＩを送信するために占有されるビット数を決定するために、端末により使用される情報を含む。
【００９９】
ＵＥは、基地局により送信される指示情報を受信する。ここで、指示情報は、ＲＩにより占有されるビット数を決定するために使用される。基地局は、ＵＥに、指示情報に従って、ＲＩにより占有されるビット数を決定するよう指示し、指示情報に従って、基地局自体がＲＩにより占有されるビット数を決定するよう指示する。
【０１００】
指示情報は、複数の形式を有しても良い。例えばビット「０」又は「１」は指示のために使用されても良い。ＲＩにより占有され基地局により決定されるビット数は、指示情報として直接用いられても良い。
【０１０１】
３０２：端末は、指示情報に従って、ＲＩにより占有されるビット数を決定する。
【０１０２】
指示情報を受信した後に、ＵＥは、指示情報に従って、ＲＩにより占有されるビット数を決定する。例えば、ＵＥが基地局により送信された「０」（端末カテゴリにより示されるＭＩＭＯ能力が選択されることを示す）を受信する場合、相応して、ＵＥは、ＲＩビット数を決定するための基準としてカテゴリを選択することを決定する。代替で、基地局により送信されＵＥにより受信される指示情報がＲＩにより占有されるビット数である場合（ビット数は、基地局により決定され、ＵＥへ直接送信される）、ＲＩは、送信のためにビット数に従って直接符号化される。
【０１０３】
ＲＩを送信するとき、ＵＥは、ビット数に従って、基地局へ送信されるＲＩを符号化する。
【０１０４】
本実施形態におけるランク指示（ＲＩ）ビット数を決定する方法では、端末は、基地局により送信された指示情報に従って、ＲＩにより占有されるビット数を決定する。したがって、基地局側及び端末側は、ＲＩにより占有されるビット数を決定するための基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１０５】
以下の実施形態では、幾つかの特定の例が用いられ、基地局及びＵＥがＲＩビット数を決定する方法を説明する。ここで、本実施形態の一部における指示情報は、具体的には、決定基準を選択するため、及び決定基準に従ってＲＩにより占有されるビット数を決定するために用いられる。一方で、他の実施形態では、指示情報は、直接的に、ＲＩにより占有され且つ決定基準に従って基地局により決定されたビット数である。本願明細書では決定基準は、端末の端末カテゴリにより示されるＭＩＭＯ能力、又は端末の帯域結合により示されるＭＩＭＯ能力を表す。
【０１０６】
＜実施形態３＞
本実施形態における指示情報は、異なるバージョンのＣＱＩレポート構成情報を有する。つまり、基地局は、異なるバージョンのＣＱＩレポート構成情報を指示情報としてＵＥへ送信する。ＵＥは、異なるバージョンのＣＱＩレポート構成情報に従って、端末カテゴリにより示されたＭＩＭＯ能力又は帯域結合により示されたＭＩＭＯ能力がＲＩにより占有されるビット数を決定するための決定基準としての役割を果たす必要があることを知り得る。
【０１０７】
図４は、本発明によるランク指示（ＲＩ）ビット数を決定する方法の更に別の実施形態の概略シグナリング図である。図４に示すように、方法は以下を含む。
【０１０８】
４０１：基地局は、ＲＩにより占有されるビット数を決定するために用いられる決定基準を決定する。
【０１０９】
基地局は、複数の方法で決定基準を選択しても良い。例えば、基地局は、端末と基地局との間の対応に従って、決定基準を決定しても良い。
【０１１０】
任意で、端末が基地局に適合するとき（基地局がＵＥのバージョンを知ることができる）、基地局は、端末の端末カテゴリにより示されるＭＩＭＯ能力又は端末の帯域結合により示されるＭＩＭＯ能力に基づき、指示情報を決定することを、選択する。端末が基地局に適合しないとき、基地局は、端末の端末カテゴリにより示されるＭＩＭＯ能力に基づき、指示情報を決定することを選択する。
【０１１１】
例えば、Ｒｅｌｅａｓｅ８／９バージョンの基地局の場合、基地局は、Ｒｅｌｅａｓｅ１０バージョンで導入された帯域結合方法をサポートしないので、基地局は、決定基準として端末カテゴリ「Category」を選択する。例えば、基地局が端末に適合するとき、端末及び基地局の両者は、Ｒｅｌｅａｓｅ８／９バージョンであり、確実にＵＥカテゴリが決定基準として選択される。基地局が端末に適合しないとき、端末はＲｅｌｅａｓｅ１０バージョンだが、基地局は帯域結合方法をサポートせず、ＵＥカテゴリも決定基準として選択される。
【０１１２】
別の例では、Ｒｅｌｅａｓｅ１０バージョンの基地局では、基地局が端末に適合するとき、端末及び基地局の両者は、Ｒｅｌｅａｓｅ１０バージョンであり、基地局は、カテゴリ又は帯域結合方法を選択しても良い。基地局が端末に適合しないとき、ＵＥはＲｅｌｅａｓｅ８／９バージョンである。ＵＥのバージョンは古く、Ｒｅｌｅａｓｅ１０バージョンで導入された帯域結合方法をサポートしないので、基地局は、決定基準として端末カテゴリ（Category）も選択する。
【０１１３】
４０２：基地局は、決定された決定基準に従ってＵＥへ指示情報を送信する。
【０１１４】
指示情報は、ＲＩにより占有されるビット数を決定するために用いられる情報である。本実施形態における指示情報は、具体的には、どの決定基準を選択するかを決定するために端末により用いられる情報である。決定基準が決定された後に、ＵＥは、決定基準に従って、ＲＩにより占有されるビット数を決定する。本実施形態における指示情報は、異なるバージョンのＣＱＩレポート構成情報である。
【０１１５】
例えば、基地局により決定された決定基準がＵＥの帯域結合（band  combination）により示されるＭＩＭＯ能力である場合、基地局は、第１のＣＱＩレポート構成情報をＵＥへ送信する。ここで、第１のＣＱＩレポート構成情報は、例えば、Ｒｅｌｅａｓｅ１０バージョン以降のバージョンのＣＱＩレポート構成情報であり、Ｒｅｌｅａｓｅ１０バージョンのＣＱＩレポート構成情報は、具体的には、情報要素cqi−ReportConfig−r  １０を表す。
【０１１６】
基地局により決定された決定基準がＵＥの端末カテゴリ（Category）により示されるＭＩＭＯ能力である場合、基地局は、第２のＣＱＩレポート構成情報をＵＥへ送信する。ここで、第２のＣＱＩレポート構成情報は、例えば、Ｒｅｌｅａｓｅ１０バージョン以前のバージョンのＣＱＩレポート構成情報である。Ｒｅｌｅａｓｅ１０バージョン以前のバージョンのＣＱＩレポート構成情報は、情報要素cqi−ReportConfig（バージョンの添え字無し）を表す。
【０１１７】
任意で、２つの無線インタフェースメッセージは、指示情報、つまりＣＱＩレポート構成情報を伝達しても良い。例えば、それは、基地局により端末へ送信される無線リソース制御（Radio  Resource  Control：ＲＲＣ）接続設定メッセージ（RRC  Connection  Setup）又はＲＲＣ接続再構成メッセージ（RRC  Connection  Reconfiguration）であっても良い。ＲＲＣ接続設定メッセージは、ＵＥがアイドル状態から接続状態に入ると、基地局により送信される。ＲＲＣ接続再構成メッセージは、ＵＥが接続状態になると、基地局により送信される。特定の実装では、指示情報は、別のメッセージの中で伝達され、ＵＥへ送信されても良い。例えば、指示情報は、特定のメッセージを使用することにより、独立に送信される。
【０１１８】
４０３：ＵＥは、基地局により送信された受信された指示情報に従って、使用するべき決定基準を選択する。
【０１１９】
本実施形態におけるＵＥは、基地局により送信された、異なるバージョンのＣＱＩレポート構成情報に従って、使用されるべき決定基準を選択できる。つまり、ＵＥの端末カテゴリにより示されるＭＩＭＯ能力又は帯域結合により示されるＭＩＭＯ能力は、決定基準として選択される。
【０１２０】
例えば、ＵＥにより受信される指示情報が第１のＣＱＩレポート構成情報であり、第１のＣＱＩレポート構成情報が、例えばＲｅｌｅａｓｅ１０バージョン以降のＣＱＩレポート構成情報である場合、ＵＥは、帯域結合により示されるＭＩＭＯ能力を決定基準として選択する。ＵＥにより受信される指示情報が第２のＣＱＩレポート構成情報であり、第２のＣＱＩレポート構成情報が、例えばＲｅｌｅａｓｅ１０バージョン以前のＣＱＩレポート構成情報である場合、ＵＥは、端末カテゴリにより示されるＭＩＭＯ能力を決定基準として選択する。
【０１２１】
４０４：ＵＥは、決定された決定基準に従って、ＲＩにより占有されるビット数を決定する。
【０１２２】
ＵＥが端末カテゴリ（Category）により示されるＭＩＭＯ能力を決定基準として選択する場合、Ｃａｔｅｇｏｒｙ値（Category１−５）に対応するサポートされるＭＩＭＯレイヤの最大数は、ＲＩによりサポートされるビット数を計算するために使用される。ＵＥが帯域結合により示されるＭＩＭＯ能力を決定基準として選択する場合、帯域結合により示されるＭＩＭＯ能力は、ＲＩにより占有されるビット数を計算するために使用される。
【０１２３】
４０５：ＵＥはビット数に従ってＲＩを符号化する。
【０１２４】
４０６：ＵＥはＲＩを基地局へ送信する。
【０１２５】
４０７：基地局は、決定された決定基準に従って、ＲＩにより占有されるビット数を決定する。
【０１２６】
４０８：基地局は、ＵＥにより送信されたＲＩを受信するとき、ＲＩを復号化するためにビット数を用いる。
【０１２７】
本発明の実施形態は、前述の４０７及び４０８の実行順序に限定されない。例えば、基地局がビット数に従ってＲＩを復号化する４０８は、ステップ４０６の後に実行されるが、基地局が決定基準に従ってＲＩにより占有されるビット数を決定する４０７は、ステップ４０８の後に実行されても良く、必ずしもステップ４０６の後に実行される必要はない。例えば、基地局は、４０１で決定基準を決定した後に、及び４０２で指示情報を送信する前に、ステップ４０７も実行しても良い（これは、単に一例として用いられ、ステップは、特定の実装において他の時間に実行されても良い）。
【０１２８】
本実施形態におけるランク指示（ＲＩ）ビット数を決定する方法では、端末は、基地局により送信された指示情報に従って、ＲＩにより占有されるビット数を決定する。したがって、基地局側及び端末側は、ＲＩにより占有されるビット数を決定するための基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１２９】
＜実施形態４＞
本実施形態における指示情報は、ＣＱＩレポート構成情報も含むが、どの決定基準が選択されるべきかをＵＥに通知するために、ＣＱＩレポート構成情報に特定の新しい情報が導入される。
【０１３０】
図５は、本発明によるランク指示（ＲＩ）ビット数を決定する方法の更に別の実施形態の概略シグナリング図である。本実施形態では、図４の実施形態のステップと同じステップは繰り返されない。図５に示すように、方法は以下を含む。
【０１３１】
５０１：基地局は、ＲＩにより占有されるビット数を決定するために用いられる決定基準を決定する。
【０１３２】
５０２：基地局は、決定された決定基準に従ってＵＥへ指示情報を送信する。
【０１３３】
本実施形態における指示情報は、ＣＱＩレポート構成情報に新たに追加される情報である。また、異なる決定された決定基準に従って指示情報を送信するために、基地局により使用される複数の方法が存在する。
【０１３４】
例えば、基地局により決定された決定基準がＵＥの帯域結合（band  combination）により示されるＭＩＭＯ能力である場合、基地局は、ＵＥへ送信されるＣＱＩレポート構成情報の中で第１の情報を伝達する。ここで、第１の情報は、端末の帯域結合により示されるＭＩＭＯ能力に基づきビット数を決定するよう端末に指示するために使用される。基地局により決定された決定基準がＵＥの端末カテゴリ（Category）により示されるＭＩＭＯ能力である場合、基地局は、ＵＥへ送信されるＣＱＩレポート構成情報の中で第１の情報を伝達しない。ここで、ＣＱＩレポート構成情報は、端末の端末カテゴリにより示されるＭＩＭＯ能力に基づきビット数を決定するよう端末に指示するために使用される。
【０１３５】
別の例では、基地局により決定された決定基準がＵＥの端末カテゴリ（Category）により示されるＭＩＭＯ能力である場合、基地局は、ＵＥへ送信されるＣＱＩレポート構成情報の中で第２の情報を伝達する。ここで、第２の情報は、端末カテゴリにより示されるＭＩＭＯ能力に従ってビット数を決定するよう端末に指示するために使用される。
【０１３６】
同様に、指示情報は、ＲＲＣ接続設定メッセージ又はＲＲＣ接続再構成メッセージの中で伝達されても良い。
【０１３７】
５０３：ＵＥは、基地局により送信された受信された指示情報に従って、使用するべき決定基準を選択する。
【０１３８】
本実施形態におけるＵＥは、基地局が基準指示情報を送信する異なる方法に従って、使用されるべき決定基準を選択できる。つまり、ＵＥの端末カテゴリにより示されるＭＩＭＯ能力又はＵＥの帯域結合により示されるＭＩＭＯ能力は、決定基準として選択される。
【０１３９】
例えば、ＵＥにより受信されたＣＱＩレポート構成情報が第１の情報を伝達し、第１の情報が端末の帯域結合により示されるＭＩＭＯ能力に基づきビット数を決定するよう端末に指示するために用いられる場合、ＵＥは、帯域結合により示されるＭＩＭＯ能力を決定基準として選択する。代替で、ＵＥにより受信されたＣＱＩレポート構成情報が第１の情報を伝達しない場合、ＵＥは、端末カテゴリにより示されるＭＩＭＯ能力を決定基準として選択する。
【０１４０】
別の例では、ＵＥにより受信されたＣＱＩレポート構成情報が第２の情報を伝達し、第２の情報が端末カテゴリにより示されるＭＩＭＯ能力に従ってビット数を決定するよう端末に指示するために用いられる場合、ＵＥは、端末カテゴリにより示されるＭＩＭＯ能力を決定基準として選択する。
【０１４１】
５０４：ＵＥは、決定された決定基準に従って、ＲＩにより占有されるビット数を決定する。
【０１４２】
５０５：ＵＥはビット数に従ってＲＩを符号化する。
【０１４３】
５０６：ＵＥはＲＩを基地局へ送信する。
【０１４４】
５０７：基地局は、決定された決定基準に従って、ＲＩにより占有されるビット数を決定する。
【０１４５】
５０８：基地局は、ＵＥにより送信されたＲＩを受信するとき、ＲＩを復号化するためにビット数を用いる。
【０１４６】
本実施形態におけるランク指示（ＲＩ）ビット数を決定する方法では、端末は、基地局により送信された指示情報に従って、ＲＩにより占有されるビット数を決定する。したがって、基地局側及び端末側は、ＲＩにより占有されるビット数を決定するための基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１４７】
＜実施形態５＞
本実施形態における指示情報は、キャリアアグリゲーション（Carrier  Aggregation：ＣＡ）指示情報を有する。つまり、ＵＥは、基地局により送信されたＣＡ指示情報に従って、端末カテゴリ方法又は帯域結合方法を決定基準として選択することを決定しても良い。ＣＡ指示情報は、ＣＡ構成情報及びＣＡ解放情報を有しても良い。ここで、ＣＡ構成情報は、二次サービングセルを追加するようＵＥに指示する構成情報であり、ＣＡ解放情報は、最後の二次サービングセルが削除されることを示す構成情報である。
【０１４８】
図６は、本発明によるランク指示（ＲＩ）ビット数を決定する方法の更に別の実施形態の概略シグナリング図である。図６に示すように、方法は以下を含む。
【０１４９】
６０１：基地局及びＵＥの両者は、端末の端末カテゴリにより示されるＭＩＭＯ能力を決定基準として選択する。
【０１５０】
本実施形態では、ＣＡが構成される前に、ＵＥ及び基地局の両者は、デフォルトで、ＲＩにより占有されるビット数を計算するためにＣａｔｅｇｏｒｙ値（Category１−５）に対応するＭＩＭＯ能力を用いても良い。
【０１５１】
留意すべきことに、図４及び図５の実施形態では、基地局が指示情報をＵＥへ送信する前に、基地局及びＵＥの両者は、デフォルトで、端末の端末カテゴリにより示されるＭＩＭＯ能力を決定基準として選択しても良い。基地局が指示情報を送信した後に、ＵＥ及び基地局は、指示情報に対応する決定基準に従って、ＲＩにより占有されるビット数を計算する。つまり、このステップの方法は、本発明の任意の実施形態に適用可能である。
【０１５２】
６０２：基地局は、ＣＡ構成情報をＵＥへ送信する。
【０１５３】
基地局は、ＵＥバージョンを認識できる。基地局がＵＥは新しいバージョンであるＲｅｌｅａｓｅ１０バージョンの端末であると認識する場合、基地局は、ＣＡ構成情報をＵＥへ送信して、ＵＥに、キャリアアグリゲーション方法を用いることにより通信するよう指示しても良い。ＣＡ構成情報は、基地局によりＵＥへ送信される指示情報である。
【０１５４】
ＣＡ構成情報は、ＲＲＣ接続再構成メッセージの中で伝達されても良い。また、ＣＡ構成情報は、具体的には、二次サービングセル追加（SCell  Addition）に関する情報要素であっても良い。
【０１５５】
６０３：基地局は、端末の帯域結合により示されるＭＩＭＯ能力を決定基準として用いると決定する。
【０１５６】
基地局がＵＥのバージョンを認識し、ＣＡ構成情報をＵＥへ送信するとき、基地局自体は、端末の帯域結合により示されるＭＩＭＯ能力を決定基準として用いることを選択する。これは、ＵＥが、より新しいバージョンの端末であり、帯域結合方法をサポートできるからである。
【０１５７】
６０４：ＵＥは、基地局により送信された受信された指示情報に従って、使用するべき決定基準を選択する。
【０１５８】
例えば、ＵＥにより受信されたＣＡ指示情報がＣＡ構成情報である場合、帯域結合により示されるＭＩＭＯ能力は、決定基準として選択される。
【０１５９】
６０５：ＵＥは、決定された決定基準に従って、ＲＩにより占有されるビット数を決定する。
【０１６０】
６０６：ＵＥはビット数に従ってＲＩを符号化する。
【０１６１】
６０７：ＵＥはＲＩを基地局へ送信する。
【０１６２】
６０８：基地局は、決定された決定基準に従って、ＲＩにより占有されるビット数を決定する。
【０１６３】
６０９：基地局は、ＵＥにより送信されたＲＩを受信するとき、ＲＩを復号化するためにビット数を用いる。
【０１６４】
任意で、ＵＥが６０２で基地局により送信されたＣＡ構成情報を受信した後に、基地局がそれ以降にＣＡ解放情報を送信したか否かに関係なく、つまり、ＵＥがそれ以降にＣＡを構成するかＣＡを構成しないかに関係なく、帯域結合により示されるＭＩＭＯ能力は、ＵＥと基地局との間の接続が解放されるまで又はＵＥが別の基地局にハンドオーバされるまで、決定基準として使用され続ける。
【０１６５】
任意で、ＵＥが６０２で基地局により送信されたＣＡ構成情報を受信した後に、ＵＥが基地局により送信されたＣＡ解放情報を受信した場合、ＵＥは、ＣＡ解放情報に従って、端末カテゴリにより示されるＭＩＭＯ能力を決定基準として選択しても良く、基地局は、ＣＡ解放情報をＵＥへ送信した後に、端末カテゴリにより示されるＭＩＭＯ能力を決定基準として用いる。これは、以下と同等である。ＣＡが構成される場合、基地局及びＵＥの両者は、ＲＩにより占有されるビット数を決定するために帯域結合方法を用い、ＣＡが構成されない場合、基地局及びＵＥの両者は、ＲＩにより占有されるビット数を決定するためにＣａｔｅｇｏｒｙを用いる。
【０１６６】
本実施形態におけるランク指示（ＲＩ）ビット数を決定する方法では、端末は、基地局により送信された指示情報に従って、ＲＩにより占有されるビット数を決定する。したがって、基地局側及び端末側は、ＲＩにより占有されるビット数を決定するための基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１６７】
＜実施形態６＞
本実施形態における指示情報は、ＲＩにより占有される決定されたビット数を有する。つまり、基地局自体は、決定された決定基準に従って、ＲＩにより占有されるビット数を得て、ビット数を直接ＵＥへ送信されるべき指示情報として用いる。ＵＥは、決定基準を選択する必要がないが、直接、ビット数に従ってＲＩを符号化する。
【０１６８】
図７は、本発明によるランク指示（ＲＩ）ビット数を決定する方法の更に別の実施形態の概略シグナリング図である。図７に示すように、方法は以下を含む。
【０１６９】
７０１：基地局は、ＲＩにより占有されるビット数を決定するために用いられる決定基準を決定する。
【０１７０】
７０２：基地局は、決定された決定基準に従って、ＲＩにより占有されるビット数を決定する。
【０１７１】
７０３：基地局は、ＲＩにより占有される決定されたビット数をＵＥへ送信する。
【０１７２】
基準指示情報は、ＲＲＣ接続設定メッセージ又はＲＲＣ接続再構成メッセージの中で伝達されても良い。
【０１７３】
７０４：ＵＥは、指示情報に従って、ＲＩにより占有されるビット数を決定する。
【０１７４】
ＵＥは、直接、基地局により送信されたビット数をＲＩにより占有されＵＥ自体により決定されたビット数として用いても良い。
【０１７５】
７０５：ＵＥはビット数に従ってＲＩを符号化する。
【０１７６】
７０６：ＵＥはＲＩを基地局へ送信する。
【０１７７】
７０７：基地局は、ＵＥにより送信されたＲＩを受信するとき、ＲＩを復号化するためにビット数を用いる。
【０１７８】
本実施形態におけるランク指示（ＲＩ）ビット数を決定する方法では、端末は、基地局により送信された指示情報に従って、ＲＩにより占有されるビット数を決定する。したがって、基地局側及び端末側は、ＲＩにより占有されるビット数を決定するための基準について合意している。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１７９】
＜実施形態７＞
以下の例におけるＲＩビット数を決定する方法は、本実施形態において記載される。基地局及びＵＥの両者がＲＩにより占有されるビット数を決定するために帯域結合により示されるサポートされるＭＩＭＯレイヤの最大数を用いると仮定すると、ＵＥは、基地局に報告するとき、帯域結合及び対応するサポートされるＭＩＭＯレイヤの最大数を報告しても良い。通常、報告される帯域結合は、１つの帯域のみを有する。したがって、サポートされるＭＩＭＯレイヤの最大数は、該帯域に対応するレイヤの数である。しかしながら、特別な場合は、ＵＥの現在の帯域結合が少なくとも２回現れる帯域を含む場合である。
【０１８０】
この場合、毎回、帯域（band）により示されるサポートされるＭＩＭＯレイヤの最大数が異なる場合（現在の標準プロトコルは、端末製造者によりこの実装をサポートする）、本実施形態は、少なくとも２回現れる帯域により示されるサポートされるＭＩＭＯレイヤの最大数の最大値が決定基準として選択されることを指定する。例えば、帯域結合が帯域１（ａ）及び帯域１（ｂ）を含む場合、帯域１（ａ）により示されるＭＩＭＯレイヤの数は４であり、帯域１（ｂ）により示されるＭＩＭＯレイヤの数は８であり、８が、全体の帯域結合により示されるサポートされるＭＩＭＯレイヤの最大数として選択される。
【０１８１】
帯域により示されるサポートされるＭＩＭＯレイヤの最大数が毎回同じ場合、同じＭＩＭＯレイヤの数が、全体の帯域結合により示されるサポートされるＭＩＭＯレイヤの最大数として選択される。この場合、同じＭＩＭＯレイヤの数は、少なくとも２回現れる前述の帯域により示されるサポートされるＭＩＭＯレイヤの最大数の最大値としても理解されても良い。例えば、帯域結合が帯域１（ａ）及び帯域１（ｂ）を含む場合、帯域１（ａ）により示されるＭＩＭＯレイヤの数は４であり、帯域１（ｂ）により示されるＭＩＭＯレイヤの数は４であり、４が、全体の帯域結合により示されるサポートされるＭＩＭＯレイヤの最大数として選択される。
【０１８２】
本実施形態において記載された例は、本発明の任意の他の実施形態に適用可能である。
【０１８３】
＜実施形態８＞
図８は、本発明に従う基地局の一実施形態の概略構造図である。ここで、基地局は、本発明の任意の実施形態による方法を実行しても良い。図８に示すように、本実施形態における基地局は、指示情報決定ユニット８１と、指示情報送信ユニット８２と、を有しても良い。
【０１８４】
指示情報決定ユニット８１は、端末と基地局との間の対応、及び端末のＭＩＭＯ（multi−input  multi−output）能力に従って、指示情報を決定するよう構成される。ここで、指示情報は、ＲＩを送信するために占有されるビット数を決定するために端末により使用される情報を含む。
【０１８５】
指示情報送信ユニット８２は、指示情報を端末へ送信するよう構成される。したがって、端末は、指示情報に従って、ランク指示（ＲＩ）を送信するために占有されるビット数を決定できる。
【０１８６】
さらに、指示情報決定ユニット８１は、具体的には、端末が基地局に適合するとき、端末の端末カテゴリにより示されるＭＩＭＯ（multi−input  multi−output）能力又は端末の帯域結合により示されるＭＩＭＯ能力に基づき、指示情報を決定し、又は、端末が基地局に適合しないとき、端末の端末カテゴリにより示されるＭＩＭＯ能力に基づき指示情報を決定するよう、構成される。
【０１８７】
さらに、指示情報決定ユニット８１は、具体的には、ＣＡ指示情報を指示情報として決定するよう構成される。ここで、ＣＡ指示情報は、端末に、端末の帯域結合により示されるＭＩＭＯ能力に従ってビット数を決定するよう指示するために使用される。
【０１８８】
さらに、指示情報決定ユニット８１は、具体的には、端末により送信されたＲＩにより占有されるビット数を、指示情報として決定するよう構成される。
【０１８９】
さらに、指示情報決定ユニット８１は、具体的には、ビット数が端末の帯域結合により示されるＭＩＭＯ能力に基づき決定されるとき、端末により現在用いられている帯域結合が少なくとも２回現れる帯域を含む場合、帯域により示されるサポートされるＭＩＭＯレイヤの最大数の最大値に基づき、帯域に対応するビット数を決定するよう構成される。
【０１９０】
図９は、本発明による基地局の別の実施形態の概略的構造図である。図９に示すように、基地局の中の指示情報決定ユニット８１は、以下のユニット、つまり、第１の決定サブユニット８１１、第２の決定サブユニット８１２、及び第３の決定ユニットサブユニット８１３、を選択的に有しても良い。
【０１９１】
第１の決定サブユニット８１１は、指示情報が端末の帯域結合により示されるＭＩＭＯ能力に基づき決定されるとき、第１のＣＱＩレポート構成情報を指示情報として決定するよう構成される。
【０１９２】
第２の決定サブユニット８１２は、指示情報が端末の端末カテゴリにより示されるＭＩＭＯ能力に基づき決定されるとき、第２のＣＱＩレポート構成情報を指示情報として決定するよう構成される。
【０１９３】
第３の決定サブユニット８１３は、指示情報が端末の帯域結合により示されるＭＩＭＯ能力に基づき決定されるとき、ＣＱＩレポート構成情報の中で第１の情報を伝達することを決定し、ここで第１の情報は、端末の帯域結合により示されるＭＩＭＯ能力に基づきビット数を決定するよう端末に指示するために使用され、或いは、指示情報が端末の端末カテゴリにより示されるＭＩＭＯ能力に基づき決定されるとき、ＣＱＩレポート構成情報が、端末の端末カテゴリにより示されるＭＩＭＯ能力に基づきビット数を決定するよう端末に指示することを決定し、或いは、指示情報が端末の端末カテゴリにより示されるＭＩＭＯ能力に基づき決定されるとき、ＣＱＩレポート構成情報の中で第２の情報を伝達することを決定し、ここで第２の情報は、端末カテゴリにより示されるＭＩＭＯ能力に従ってビット数を決定するよう端末に指示するために使用される、よう構成される。
【０１９４】
さらに、基地局は、ＲＩビット決定ユニット８３を更に有しても良い。ＲＩビット決定ユニット８３は、指示情報が端末へ送信される前に、端末の端末カテゴリにより示されるＭＩＭＯ能力に基づきビット数を決定し、或いは、指示情報が端末へ送信された後に、端末と基地局との間の対応に基づきビット数を決定する、よう構成される。
【０１９５】
本実施形態における基地局は、ＲＩにより占有されるビット数を決定するために、指示情報を端末へ送信する。したがって、基地局側及び端末側は、ＲＩにより占有されるビット数を決定する基準について合意できる。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０１９６】
＜実施形態９＞
図１０は、本発明に従う端末の一実施形態の概略構造図である。ここで、端末は、本発明の任意の実施形態による方法を実行しても良い。図１０に示すように、本実施形態における端末は、指示情報受信ユニット１００１と、ＲＩビット決定ユニット１００２と、を有しても良い。
【０１９７】
指示情報受信ユニット１００１は、基地局により送信された指示情報を受信するよう構成される。ここで、指示情報は、ＲＩを送信するために占有されるビット数を決定するために、端末により使用される情報を有する。
【０１９８】
ランク指示（ＲＩ）ビット決定ユニット１００２は、指示情報に従って、ＲＩにより占有されるビット数を決定するよう構成される。
【０１９９】
さらに、ＲＩビット決定ユニット１００２は、具体的には、指示情報受信ユニットにより受信された指示情報に従って、端末カテゴリにより示されるＭＩＭＯ（multi−input  multi−output）能力又は帯域結合により示されるＭＩＭＯ能力に基づき、ビット数を決定することを選択するよう構成される。
【０２００】
さらに、ＲＩビット決定ユニット１００２は、具体的には、指示情報受信ユニットが基地局により送信されたＣＡ指示情報を受信すると、帯域結合により示されるＭＩＭＯ能力に基づきビット数を決定するよう構成される。
【０２０１】
さらに、ＲＩビット決定ユニット１００２は、具体的には、ビット数が端末の帯域結合により示されるＭＩＭＯ能力に基づき決定されるとき、現在用いられている帯域結合が少なくとも２回現れる帯域を含む場合、帯域により示されるサポートされるＭＩＭＯレイヤの最大数の最大値に基づき、帯域に対応するビット数を決定するよう構成される。
【０２０２】
さらに、ＲＩビット決定ユニット１００２は、指示情報受信ユニットが基地局により送信されたＣＡ指示情報を受信する前に、端末カテゴリにより示されるＭＩＭＯ能力に基づきビット数を決定するよう更に構成される。
【０２０３】
さらに、指示情報受信ユニット１００１は、具体的には、ＲＩにより占有され基地局により送信されたビット数を受信するよう構成される。ＲＩビット決定ユニット１００２は、具体的には、指示情報受信ユニットにより受信されるビット数を、ＲＩにより占有されるビット数として用いるよう構成される。
【０２０４】
図１１は、本発明による端末の別の実施形態の概略的構造図である。図１１に示すように、図１０に示した構造に基づき、ＲＩビット決定ユニット１００２は、次のユニット、つまり第１の決定サブユニット１００３、第２の決定サブユニット１００４、及び第３の決定サブユニット１００５、を選択的に有しても良い。
【０２０５】
第１の決定サブユニット１００３は、指示情報受信ユニットが基地局により送信された第１のＣＱＩレポート構成情報を受信すると、帯域結合により示されるＭＩＭＯ能力に基づきビット数を決定するよう構成される。
【０２０６】
第２の決定サブユニット１００４は、指示情報受信ユニットが基地局により送信された第２のＣＱＩレポート構成情報を受信すると、端末カテゴリにより示されるＭＩＭＯ能力に基づきビット数を決定するよう構成される。
【０２０７】
第３の決定サブユニット１００５は、基地局により送信され指示情報受信ユニットにより受信されたＣＱＩレポート構成情報が第１の情報を伝達し、第１の情報が、端末の帯域結合により示されるＭＩＭＯ能力に基づきビット数を決定するよう端末に指示するために用いられる場合、端末の帯域結合により示されるＭＩＭＯ能力に基づきビット数を決定し、或いは、基地局により送信された受信されたＣＱＩレポート構成情報が第１の情報を伝達しない場合、端末カテゴリにより示されるＭＩＭＯ能力に基づきビット数を決定し、或いは、基地局により送信された受信されたＣＱＩレポート構成情報が第２の情報を伝達し、第２の情報が、端末カテゴリにより示されるＭＩＭＯ能力に従ってビット数を決定するよう端末に指示するために用いられる場合、端末カテゴリにより示されるＭＩＭＯ能力に基づきビット数を決定する、よう構成される。
【０２０８】
本実施形態における端末は、ＲＩにより占有されるビット数を決定するために、基地局により送信された指示情報を受信する。したがって、基地局側及び端末側は、ＲＩにより占有されるビット数を決定する基準について合意できる。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０２０９】
＜実施形態１０＞
図１２は、本発明に従う基地局の一実施形態の概略物理構造図である。ここで、基地局は、本発明の任意の実施形態による方法を実行しても良い。図１２に示すように、本実施形態における基地局は、プロセッサ１２０１と、送信機１２０２と、を有しても良い。
【０２１０】
プロセッサ１２０１は、端末と基地局との間の対応、及び端末のＭＩＭＯ（multi−input  multi−output）能力に従って、指示情報を決定するよう構成される。ここで、指示情報は、ランク指示（ＲＩ）を送信するために占有されるビット数を決定するために端末により使用される情報を含む。
【０２１１】
送信機１２０２は、端末へ指示情報を送信するよう構成される。したがって端末は、指示情報に従ってＲＩを送信するために占有されるビット数を決定できる。
【０２１２】
さらに、プロセッサ１２０１は、具体的には、端末が基地局に適合するとき、端末の端末カテゴリにより示されるＭＩＭＯ（multi−input  multi−output）能力又は端末の帯域結合により示されるＭＩＭＯ能力に基づき、指示情報を決定し、又は、端末が基地局に適合しないとき、端末の端末カテゴリにより示されるＭＩＭＯ能力に基づき指示情報を決定するよう、構成される。
【０２１３】
さらに、指示情報は、チャネル品質指示子（ＣＱＩ）レポート構成情報を有する。プロセッサ１２０１は、具体的には、指示情報が端末の帯域結合により示されるＭＩＭＯ能力に基づき決定されるとき、第１のＣＱＩレポート構成情報を指示情報として決定し、指示情報が端末の端末カテゴリにより示されるＭＩＭＯ能力に基づき決定されるとき、第２のＣＱＩレポート構成情報を指示情報として決定する、よう構成される。
【０２１４】
さらに、指示情報は、ＣＱＩレポート構成情報を有する。プロセッサ１２０１は、具体的には、指示情報が端末の帯域結合により示されるＭＩＭＯ能力に基づき決定されるとき、ＣＱＩレポート構成情報の中で第１の情報を伝達することを決定し、ここで第１の情報は、端末の帯域結合により示されるＭＩＭＯ能力に基づきビット数を決定するよう端末に指示するために使用され、或いは、指示情報が端末の端末カテゴリにより示されるＭＩＭＯ能力に基づき決定されるとき、ＣＱＩレポート構成情報の中で第１の情報を伝達しないと決定して、端末の端末カテゴリにより示されるＭＩＭＯ能力に基づきビット数を決定するよう端末に指示し、或いは、指示情報が端末の端末カテゴリにより示されるＭＩＭＯ能力に基づき決定されるとき、ＣＱＩレポート構成情報の中で第２の情報を伝達し、ここで第２の情報は、端末カテゴリにより示されるＭＩＭＯ能力に従ってビット数を決定するよう端末に指示するために使用される、よう構成される。
【０２１５】
さらに、指示情報は、ＣＡ（carrier  aggregation）指示情報を有する。プロセッサ１２０１は、具体的には、ＣＡ指示情報を指示情報として決定するよう構成される。ここで、ＣＡ指示情報は、端末に、端末の帯域結合により示されるＭＩＭＯ能力に従ってビット数を決定するよう指示するために使用される。
【０２１６】
さらに、プロセッサ１２０１は、指示情報が端末へ送信される前に、端末の端末カテゴリにより示されるＭＩＭＯ能力に基づきビット数を決定し、或いは、指示情報が端末へ送信された後に、端末と基地局との間の対応に基づきビット数を決定する、よう更に構成される。
【０２１７】
さらに、プロセッサ１２０１は、具体的には、端末により送信されたＲＩにより占有されるビット数を、指示情報として決定するよう構成される。
【０２１８】
さらに、プロセッサ１２０１は、具体的には、ビット数が端末の帯域結合により示されるＭＩＭＯ能力に基づき決定されるとき、端末により現在用いられている帯域結合が少なくとも２回現れる帯域を含む場合、帯域により示されるサポートされるＭＩＭＯレイヤの最大数の最大値に基づき、帯域に対応するビット数を決定するよう更に構成される。
【０２１９】
本実施形態における基地局は、ＲＩにより占有されるビット数を決定するために、指示情報を端末へ送信する。したがって、基地局側及び端末側は、ＲＩにより占有されるビット数を決定する基準について合意できる。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０２２０】
＜実施形態１１＞
図１３は、本発明に従う端末の一実施形態の概略物理構造図である。ここで、端末は、本発明の任意の実施形態による方法を実行しても良い。図１３に示すように、本実施形態における端末は、受信機１３０１と、プロセッサ１３０２と、を有する。
【０２２１】
受信機１３０１は、基地局により送信された指示情報を受信するよう構成される。ここで、指示情報は、ランク指示（ＲＩ）を送信するために占有されるビット数を決定するために、端末により使用される情報を有する。
【０２２２】
プロセッサ１３０２は、指示情報に従って、ＲＩにより占有されるビット数を決定するよう構成される。
【０２２３】
さらに、プロセッサ１３０２は、具体的には、受信機により受信された指示情報に従って、端末カテゴリにより示されるＭＩＭＯ（multi−input  multi−output）能力又は帯域結合により示されるＭＩＭＯ能力に基づき、ビット数を決定することを選択するよう構成される。
【０２２４】
さらに、指示情報は、ＣＱＩレポート構成情報を有する。プロセッサ１３０２は、具体的には、受信機が基地局により送信された第１のＣＱＩレポート構成情報を受信すると、帯域結合により示されるＭＩＭＯ能力に基づきビット数を決定し、受信機が基地局により送信された第２のＣＱＩレポート構成情報を受信すると、端末カテゴリにより示されるＭＩＭＯ能力に基づきビット数を決定する、よう構成される。
【０２２５】
さらに、指示情報は、ＣＱＩレポート構成情報を有する。プロセッサ１３０２は、具体的には、基地局により送信され受信機により受信されたＣＱＩレポート構成情報が第１の情報を伝達し、第１の情報が、端末の帯域結合により示されるＭＩＭＯ能力に基づきビット数を決定するよう端末に指示するために用いられる場合、端末の帯域結合により示されるＭＩＭＯ能力に基づきビット数を決定し、或いは、基地局により送信され受信機により受信されたＣＱＩレポート構成情報が第１の情報を伝達しない場合、端末カテゴリにより示されるＭＩＭＯ能力に基づきビット数を決定し、或いは、基地局により送信された受信されたＣＱＩレポート構成情報が第２の情報を伝達し、第２の情報が、端末カテゴリにより示されるＭＩＭＯ能力に従ってビット数を決定するよう端末に指示するために用いられる場合、端末カテゴリにより示されるＭＩＭＯ能力に基づきビット数を決定する、よう構成される。
【０２２６】
さらに、プロセッサ１３０２は、具体的には、受信機が基地局により送信されたＣＡ指示情報を受信すると、帯域結合により示されるＭＩＭＯ能力に基づきビット数を決定するよう構成される。
【０２２７】
さらに、プロセッサ１３０２は、具体的には、ビット数が端末の帯域結合により示されるＭＩＭＯ能力に基づき決定されるとき、現在用いられている帯域結合が少なくとも２回現れる帯域を含む場合、帯域により示されるサポートされるＭＩＭＯレイヤの最大数の最大値に基づき、帯域に対応するビット数を決定するよう更に構成される。
【０２２８】
さらに、プロセッサ１３０２は、受信機が基地局により送信された指示情報を受信する前に、端末カテゴリにより示されるＭＩＭＯ能力に基づきビット数を決定するよう更に構成される。
【０２２９】
さらに、受信機１３０１は、具体的には、ＲＩにより占有され基地局により送信されるビット数を受信するよう構成される。プロセッサ１３０２は、具体的には、受信機により受信されたビット数を、ＲＩにより占有されるビット数として用いるよう構成される。
【０２３０】
本実施形態における端末は、ＲＩにより占有されるビット数を決定するために、基地局により送信された指示情報を受信する。したがって、基地局側及び端末側は、ＲＩにより占有されるビット数を決定する基準について合意できる。したがって、ＵＥがＲＩを報告するとき、ＵＥ及び基地局は、ＲＩ情報により占有されるビット数の理解について合意している。これにより、ＭＩＭＯ機能が、正しいＲＩに基づき、基地局とＵＥとの間で正常に使用できることを保証する。
【０２３１】
当業者は、方法の実施形態のステップの全部又は一部が関連するハードウェアに指示するプログラムにより実装されても良いことを理解する。プログラムは、コンピュータ可読記憶媒体に格納されても良い。プログラムが実行するとき、方法の実施形態のステップが実行される。前述の記憶媒体は、ROM、RAM、磁気ディスク又は光ディスクのようなプログラムコードを格納可能な任意の媒体を含む。
【０２３２】
最後に、留意すべきことに、前述の実施形態は、単に本発明の技術的ソリューションを説明するためであり、本発明の範囲を限定しない。本発明は、前述の実施形態を参照して詳細に説明されたが、当業者は、本発明の実施形態の技術的ソリューションの範囲から逸脱することなく、彼らが前述の実施形態で説明した技術的ソリューションに変更を行い、又はそれら実施形態の一部又は全部の技術的特徴を等価に置換できることを理解する。
【図１】
0006492116.tif 000002
【図２】
0006492116.tif 000003
【図３】
0006492116.tif 000004
【図４】
0006492116.tif 000005
【図５】
0006492116.tif 000006
【図６】
0006492116.tif 000007
【図７】
0006492116.tif 000008
【図８】
0006492116.tif 000009
【図９】
0006492116.tif 000010
【図１０】
0006492116.tif 000011
【図１１】
0006492116.tif 000012
【図１２】
0006492116.tif 000013
【図１３】
0006492116.tif 000014